(57)【要約】【課題】プリント配線板に実装されたべ−スコネクタに対するこじり引き抜きによってべ−スハウジングに割れが生じるのを効果的に防ぐことができると共に、ベ−スコネクタに対する挿抜作業が容易、かつ迅速に行なえる検査用コネクタを提供する。【解決手段】プリント配線板１０に実装されたベースコネクタ１は、前記ソケットコネクタ３１が嵌合する、前面側が開口３した空所部４を有するベースハウジング２に複数のピンコンタクト７が嵌合方向に平行して配設されている。  検査用ソケットコネクタ３１は、開口３から挿入して空所部４に嵌合するソケットハウジング３２に、複数の電線２５の端部に接続した複数のソケットコンタクト２６が個別に離隔して収容され、ソケットハウジング３２の前端部３３にストッパ部片３４が突設されていて、ソケットハウジング３２をベースハウジング２の空所部３に嵌合したとき、ストッパ部片３４が空所部３内奥の壁面に当接して、ソケットハウジング３２のベ−スハウジング２に対する嵌合長を短く規制する。【選択図】図６
2007265922.tif 000002
【特許請求の範囲】
【請求項１】
プリント配線板に実装されたベースコネクタと、複数の電線が接続され、前記ベースコネクタに対して挿抜自在に嵌合接続する検査用ソケットコネクタとから成り、
前記ベースコネクタは、前記ソケットコネクタが嵌合する、前面側が開口した空所部を有するベースハウジングに複数のピンコンタクトが嵌合方向に平行して配設され、前記ピンコンタクトは前記ベースハウジングの後壁部から前記開口に向け嵌合方向に延びて前記空所部に収容された接触ピン部と、前記ベースハウジングの後壁部から延出してプリント配線板にはんだ付けされるリード部とを有し、、
前記ソケットコネクタは、前記開口から挿入して前記空所部に嵌合するソケットハウジングに、複数の電線端部に接続した複数のソケットコンタクトが個別に離隔して収容され、前記ソケットコンタクトは、前記ソケットハウジングを前記ベ−スハウジングの前記空所部に嵌合したとき、前記接触ピン部と嵌合して電気的に接続される接触部を有しており、
前記ソケットハウジングの前端部にストッパ部片が突設されていて、前記ソケットハウジングを前記ベースハウジングの前記空所部に嵌合したとき、前記ストッパ部片が前記空所部内奥の壁面に当接して、前記ソケットハウジングの前記ベ−スハウジングに対する嵌合長を短く規制することを特徴とする検査用コネクタ。
【請求項２】
前記ストッパ部片が、前記ソケットハウジングの前端部両端に突設されていることを特徴とする請求項１記載の検査用コネクタ。
【請求項３】
前記ストッパ部片が、前記ソケットハウジングの前端部中央部位に設けられていることを特徴とする請求項１記載の検査用コネクタ。
【請求項４】
前記ストッパ部片が、前記ソケットハウジングの前端部の横方向全長に亘って設けられていることを特徴とする請求項１記載の検査用コネクタ。
【発明の詳細な説明】
【技術分野】
【０００１】
本発明は、プリント配線板に実装されたコネクタの導通チェック検査に関するもので、詳しくはプリント配線板に実装されたベースコネクタの導通チェック検査に使用する検査用コネクタに関するものである。
【背景技術】
【０００２】
従来、プリント配線板に実装されたベースコネクタの導通チェック検査は、図１１〜図１３のようにして実施さていれる。ベースコネクタ１は、ソケットコネクタ２１のソケットハウジング２２が嵌合する、前面側が開口３した空所部４を有するベースハウジング２に複数のピンコンタクト７が嵌合方向に平行して配設され、ピンコンタクト７はベースハウジング２の後壁部５から開口３に向け嵌合方向に延びて空所部４に収容された接触ピン部８と、ベースハウジング２の後壁部５から外方に延出したリード部９とを有し、リード部９をプリント配線板１０上に形成された回路パターン（図示せず）にはんだ付け１１して電気的に接続されている（図１２参照）。
【０００３】
一方、導通チェック検査には、実際にベースコネクタ１に対して挿抜自在に嵌合接続して使用するソケットコネクタ２１が用いられる。該ソケットコネクタ２１は、ベースハウジング２の開口３から挿入して空所部４に嵌合するソケットハウジング２２を有し、該ソケットハウジング２２には複数の電線２５の端部に接続した複数のソケットコンタクト２６（図２参照）を個別に離隔して収容する受容部２３が横方向に並列してピンコンタクト７と同一ピッチで設けられている。各受容室２３の前壁にはピンコンタクト７の接触ピン部８が挿通する通孔２４が設けられている。ソケットコンタクト２６は電線２５の圧着接続部２７と、ピンコンクタト７との接触部２８とを有しており、ソケットハウジング２２をベースハウジング２の空所部４に嵌合したとき、接触部２８がピンコンタクト７の接触ピン部８と嵌合して電気的に接続される。このとき、ソケットハウジング２２の前端部はベースハウジング２の後壁部５の内壁面６に当接し、ソケットハウジング２２の嵌合長はＡで示されている。また、各ソケットコンタクト２６に接続した電線２５はそれぞれ、図示しない導通チェック装置に接続されている。
【０００４】
上記のように、複数の電線２５が接続されているソケットコネクタ２１をベースコネクタ１に嵌合接続して、ベースコネクタ１の導通チェック検査を行なうものである。そして、検査が終了すると、検査作業員が電線２５群を把持してソケットコネクタ２１をベースコネクタ１から引き抜くのであるが、このソケットコネクタ２１の抜去作業時に、図１１の矢印イに示すように、ソケットコネクタ２１の嵌合方向へ電線２５群を引き抜く場合には問題は無いけれども、図１３の矢印ロに示すように、電線２５群を斜横方向へ引っ張ってソケットコネクタ２１を引き抜くと、無理なこじり力がベースハウジング２に作用して、ベースハウジング２の側壁に割れ２９を生じるという問題があった。しかも、このようなこじり引抜きは、多数のベースコネクタ１の導通チェック検査を迅速に行なうためにはどうしても避けられないのである。
【発明の開示】
【発明が解決しようとする課題】
【０００５】
本発明は、上記事情に鑑みてなされたものであり、プリント配線板に実装されたべ−スコネクタに対するこじり引き抜きによってべ−スハウジングに割れが生じるのを効果的に防ぐことができると共に、ベ−スコネクタに対する挿抜作業が容易、かつ迅速に行なえる検査用コネクタを提供することを目的としている。
【課題を解決するための手段】
【０００６】
上記目的を達成するために、本発明は、プリント配線板に実装されたベースコネクタと、複数の電線が接続され、前記ベースコネクタに対して挿抜自在に嵌合接続する検査用ソケットコネクタとから成り、前記ベースコネクタは、前記ソケットコネクタが嵌合する、前面側が開口した空所部を有するベースハウジングに複数のピンコンタクトが嵌合方向に平行して配設され、前記ピンコンタクトは前記ベースハウジングの後壁部から前記開口に向け嵌合方向に延びて前記空所部に収容された接触ピン部と、前記ベースハウジングの後壁部から延出してプリント配線板にはんだ付けされるリード部とを有し、前記ソケットコネクタは、前記開口から挿入して前記空所部に嵌合するソケットハウジングに、複数の電線端部に接続した複数のソケットコンタクトが個別に離隔して収容され、前記ソケットコンタクトは、前記ソケットハウジングを前記ベ−スハウジングの前記空所部に嵌合したとき、前記接触ピン部と嵌合して電気的に接続される接触部を有しており、前記ソケットハウジングの前端部にストッパ部片が突設されていて、前記ソケットハウジングを前記ベースハウジングの前記空所部に嵌合したとき、前記ストッパ部片が前記空所部内奥の壁面に当接して、前記ソケットハウジングの前記ベ−スハウジングに対する嵌合長を短く規制することを特徴とする。
【０００７】
前記ストッパ部片は、前記ソケットハウジングの前端部両端に小さく突設する構成が好ましいけれども、前記ソケットハウジングの前端部中央部位に設けてもよい。また、必要によっては、前記ソケットハウジングの前端部の横方向全長に亘って設けることも可能である。
【発明の効果】
【０００８】
上述のように、本発明によれば、ソケットハウジングの前端部にストッパ部片を突設して、べ−スハウジングに対する前記ソケットハウジングの嵌合長を短く規制したから、ベ−スコネクタから検査用ソケットコネクタを引き抜く際、こじり引抜きによって前記ベ−スハウジングに作用するこじり力が軽減され、ベ−スハウジングに割れが生じるのを効果的に防ぐことができる。
【０００９】
しかも、ベ−スハウジングに対するソケットハウジングの嵌合長が短く（浅く）なることで、検査用ソケットコネクタの挿抜作業が容易、かつ迅速に行なえ、ひいては導通チェック検査の作業を向上させることができる。
【発明を実施するための最良の形態】
【００１０】
以下、本発明の実施の形態を図面に基づいて説明する。
【００１１】
図１ないし図４は、本願発明に係る検査用ソケットコネクタ３１（図６参照）のソケットハウジング３２を示してしており、図５ないし図７は、検査用ソケットコネクタ３１の使用状態を示している。
【００１２】
図５ないし図７に示すプリント配線板１０に実装されたベ−スコネクタ１は、図１１ないし図１３に示したベースコネクタ１と同一であるので、同一構成部分は同一の符号を付して説明は省略する。なお、ベースコネクタ１のベースハウジング２は、ナイロン樹脂などの絶縁性樹脂材料に成形され、ピンコンタクトは黄銅などの導電性金属板を打抜き曲げ加工して製作され、ベースハウジング２に圧入されている。
【００１３】
検査用ソケットコネクタ３１は、図１１ないし図１３示したソケットコネクタ２１と基本的には同一構成であって、ソケットハウジング３２の形状が部分的に異なるだけであるから、同一の構成部分は同一の符号を付して説明は省略する。なお、ソケットハウジング３２はナイロン樹脂などの絶縁性樹脂材料により成形され、ソケットコンタクト２６は黄銅などの導電性金属薄板を打抜き曲げ加工して製作されている。
【００１４】
ソケットハウジング３２は、図１ないし図４に示すように、前端部３３の両端下側の角部分に前方へ突出するストッパ部片３４，３４が一体的に突設されている。該ストッパ部片３４は外側辺と下側辺に沿って面取り３５加工されていて、ソケットハウジング３２をベースハウジング２の開口３から挿入して空所部４に嵌合する際に、面取り３５の案内作用によって円滑な嵌合を可能にしている。
【００１５】
上記のようにストッパ部片３４，３４を設けたソケットハウジング３２の受容部２３に複数の電線２５の端部に接続した複数のソケットコンタクト２６を個別に収容して検査用ソケットコネクタ３１が構成される。
【００１６】
そして、該検査用ソケットコネクタ３１のソケットハウジング３２をベースハウジング２の空所部４に嵌合したとき、ストッパ部片３４が空所部４内奥の後側壁５の内壁面６に当接し、ベースハウジング２に対するソケットハウジング３２の嵌合長を短く規制する。このとき、ソケットハウジング３２の前端部３３壁面とベースハウジング２の後側壁５の内壁面６との間に隙間Ｃが生じ、ベースハウジング２に対するソケットハウジング３２の嵌合長Ｂは、図１２に示したソケットハウジング２２の嵌合長Ａより短くなる。なお、ストッパ部片３４の突出長さは、図６に示すように、ベースコネクタ１のピンコンタクト７の接触ピン部８と、ソケットコネクタ３１のソケットコンタクト２６の接触部２８とが正常に嵌合して電気的に接続される範囲内に設定されている。
【００１７】
上記のように、ベースハウジング２に対するソケットハウジング３２の嵌合長Ｂが、通常のソケットコネクタ２１を使用した嵌合接続より短くなっているので、電線２５群を把持してベースコネクタ１から検査用ソケットコネクタ３１を引き抜く際、図７に示すように、こじり引抜きによってベースハウジング２に作用するこじり力が軽減され、ベースハウジング２に割れを生じることはない。しかも、ベースハウジング２に対するソケットハウジング３２の嵌合長Ｂが短く（浅く）なることで、検査用ソケットコネクタ３１の挿抜作業が容易、かつ迅速に行なえる利点もある。
【００１８】
上記した実施の形態においては、ストッパ部片３４をソケットハウジング３２の前端部３３の両端部分に突設したが、図８に示すように、前端部３３の中央部位に２つのストッパ部片３４を設けても、上記同様の効果が得られる。また、図９に示すように、前端部３３の中央部位に幅広のストッパ部片３４を１つ設けても同様の効果が得られる。さらに、図１０に示すように、必要によっては、前端部３３の横方向全長に亘って設けることも可能である。
【図面の簡単な説明】
【００１９】
【図１】本発明に係る検査用ソケットコネクタのソケットハウジングの平面図である。
【図２】同上ソケットハウジングの前端面図である。
【図３】同上ソケットハウジングの側面図である。
【図４】同上ソケットハウジングの前端部の要部拡大図である。
【図５】本発明に係る検査用ソケットコネクタの使用状態を示す平面図である。
【図６】図５の６−６線に沿う拡大断面図である。
【図７】同上検査用ソケットコネクタの引抜き作業状態を示す平面図である。
【図８】本発明に係る検査用ソケットコネクタのソケットハウジングの別の実施形態を示す平面図である。
【図９】本発明に係る検査用ソケットコネクタのソケットハウジングの別の実施形態を示す平面図である。
【図１０】本発明に係る検査用ソケットコネクタのソケットハウジングの別の実施形態を示す平面図である。
【図１１】従来の導通チェック検査の実施例を示す平面図である。
【図１２】図１１の１２−１２線に沿う拡大断面図である。
【図１３】従来の導通チェック検査の実施例におけるソケットコネクタの引抜き作業状態を示す平面図である。
【符号の説明】
【００２０】
１  ベースコネクタ
２  ベースハウジング
３  開口
４  空所部
５  後側壁
６  内壁面
７  ピンコンタクト
８  接触ピン部
９  リード部
１０  プリント配線板
１１  はんだ付け
２３  受容部
２５  電線
２６  ソケットコンタクト
２７  圧着接続部
２８  接触部
３１  検査用ソケットコネクタ
３２  ソケットハウジング
３３  前端部
３４  ストッパ部片
３５  面取り
【図１】
2007265922.tif 000003
【図２】
2007265922.tif 000004
【図３】
2007265922.tif 000005
【図４】
2007265922.tif 000006
【図５】
2007265922.tif 000007
【図６】
2007265922.tif 000008
【図７】
2007265922.tif 000009
【図８】
2007265922.tif 000010
【図９】
2007265922.tif 000011
【図１０】
2007265922.tif 000012
【図１１】
2007265922.tif 000013
【図１２】
2007265922.tif 000014
【図１３】
2007265922.tif 000015